(57)【要約】      （修正有）【課題】手で触れることなく手摺りやドアノブなどを操作することが可能なフックを提供する。【解決手段】棒状体からなる本体部位２０と、揺動可能に設けられた棒状体からなる揺動部位３０とを有し、本体部位２０は先端側部位２１と基端側部位２２とを有し、先端側部位２１はフック形状あるいは半円形状を有しており、基端側部位２２においては、基端２２３が、揺動部位３０が揺動可能であるように連結部５０で揺動部位３０と連結されており、揺動部位３０と隣接して握持部位２２１を有し、揺動部位３０と握持部位２２１と基端側部位２２で先端側部位２１近傍に位置する部位２２２とで掴持部位４０を形成する。【選択図】図１
0003227313.tif 000002
【実用新案登録請求の範囲】
【請求項１】
棒状体からなる本体部位と、揺動可能に設けられた棒状体からなる揺動部位とを有し、
前記本体部位は先端側部位と基端側部位とを有し、
前記先端側部位はフック形状あるいは半円形状を有しており、
前記基端側部位においては、
基端が、前記揺動部位が揺動可能であるように連結部で前記揺動部位と連結されており、
前記揺動部位と隣接して握持部位を有し、
前記揺動部位と前記握持部位と前記基端側部位で前記先端側部位近傍に位置する部位とで
掴持部を形成する
ことを特徴とするフック。
【請求項２】
前記握持部位が直線状の部分を有することを特徴とする請求項１に記載のフック。
【請求項３】
全体で平面をなすことを特徴とする請求項１または２に記載のフック。
【請求項４】
前記先端側部位が捻れて平面から逸脱していることを特徴とする請求項３に記載のフック。
【請求項５】
前記本体部位の形状が数字の２のように、フック形状と三角形状とが組み合わさった形状であり、前記数字の２の三角形状部の端にて、前記揺動部位が前記本体部位に連結されていることを特徴とする請求項１から４のいずれか１項に記載のフック。
【請求項６】
全体形状としては、逆Ｓの字形状であることを特徴とする請求項１から５のいずれか１項に記載のフック。
【請求項７】
前記本体部位または／且つ揺動部位を構成する前記棒状体が導電性を有し、先端を除き、樹脂層で全体が被覆されていることを特徴とする請求項１から６のいずれか１項に記載のフック。
【請求項８】
前記揺動部位は前記樹脂層により前記本体部位と連結されていることを特徴とする請求項７に記載のフック。
【請求項９】
前記連結部と前記握持部位との間の前記本体部位に屈曲部が形成されていることを特徴とする請求項１から８のいずれか１項に記載のフック。
【請求項１０】
抗菌層を有することを特徴とする請求項１から９のいずれか１項に記載のフック。
【請求項１１】
前記フック形状あるいは前記半円形状の先端側部位の内径あるいは懐の長さが３２から３８ｍｍであることを特徴とする請求項１から１０のいずれか１項に記載のフック。
【請求項１２】
前記掴持部が掴むものとして円柱を想定した時に、円柱の直径が４０から５５ｍｍであることを特徴とする請求項１から１１のいずれか１項に記載のフック。
【考案の詳細な説明】
【技術分野】
【０００１】
本開示は、フックに関するものである。
【背景技術】
【０００２】
近年、新型ウィルスの流行もあり、手摺りやドアノブにどのようなウィルスや菌が付着しているかも知れないという不安が広まっている。現在は、非特許文献１に開示されているように、石けんやアルコール消毒液などによる手洗いという対策が提唱されている。
【０００３】
一方、前腕の義手として、特許文献１に示されているように、フック状の手先具が提案されている。本義手を用いれば、人体が触れることなく、物に接触することができ、また、物を操作することが可能である。
【先行技術文献】
【特許文献】
【０００４】
【特許文献１】特開２０１８−６４７４３号公報
【非特許文献】
【０００５】
【非特許文献１】厚生労働省、“新型コロナウイルスに関するQ&A（一般の方向け）”、［ＯＮＬＩＮＥ］、令和２年２月１３日、［令和２年２月１３日検索］、インターネット、ＵＲＬ：https://www.mhlw.go.jp/stf/seisakunitsuite/bunya/kenkou_iryou/dengue_fever_qa_00001.html
【考案の概要】
【考案が解決しようとする課題】
【０００６】
非特許文献１に開示されているウィルスへの対応策は、手が手摺りやドアノブなどに触れてしまうことを前提にしている。特許文献１に開示されているフック状の手先具は、前腕の切断端に装着されることを前提としている。また、フック形状を有する部位を有するのみであるため、ドアノブを操作することはできない。
【０００７】
本開示の目的は、手摺りやドアノブなどを手で触れることなく操作することが可能な機構を提供することである。
【課題を解決するための手段】
【０００８】
上記目的を達成するため、本開示に係るフックは、棒状体からなる本体部位と、揺動可能に設けられた棒状体からなる揺動部位とを有し、本体部位は先端側部位と基端側部位とを有し、先端側部位はフック形状あるいは半円形状を有しており、基端側部位においては、基端が、前記揺動部位が揺動可能であるように連結部で揺動部位と連結されており、揺動部位と隣接して握持部位を有し、揺動部位と握持部位と基端側部位で先端側部位近傍に位置する部位とで掴持部を形成する。
【考案の効果】
【０００９】
上記構成によれば、握持部位を握ってフック形状あるいは半円形状の先端側部位を手摺りに引っ掛けることにより手摺りを持つことができ、また、つり皮に引っ掛けることによりつり革に掴まることができる。また、揺動部位と握持部位と先端側部位近傍に位置する基端側部位とで形成された掴持部により、ドアノブを掴むことができる。
本開示のフックが手摺りやドアノブなどに触れるのみであり、手摺りやドアノブなどを手で直接触れることなく操作することができる。
【図面の簡単な説明】
【００１０】
【図１】（ａ）は本開示の第１の実施の形態に係るフックの平面図、（ｂ）は（ａ）に示すフックのＩＩ−ＩＩ線断面図、（ｃ）は（ａ）に示すフックのＩＩＩ−ＩＩＩ線断面図
【考案を実施するための形態】
【００１１】
以下、本開示の実施の形態に係るフック１０について図面を参照しながら説明する。なお、各図において、同一構成要素には同一符号を付す。
【００１２】
（実施の形態）
以下、実施の形態１に係るフック１０について図１を参照して説明する。
図１（ａ）に示すように、実施の形態１に係るフック１０は、二つの棒状体１１が連結されており、本体部位２０と揺動部位３０とを具備する。本体部位２０は先端側部位２１と基端側部位２２とからなる。先端側部位２１はフック形状あるいは半円形状を有している。基端側部位２２においては、基端２２３が揺動部位３０と連結部５０にて連結されている。基端側部位２２は、揺動部位３０と隣接して握持部位２２１を有し、揺動部位３０と握持部位２２１と基端側部位２２の内の先端側部位２１近傍に位置する部位２２２とで掴持部位４０を形成する。握持部位２２１は、握りやすいことを企図し、直線状に形成されることが好ましい。フック１０の全体形状は、平面をなしてもよい。平面であるため、場所を取らず、携帯性に優れたフックが実現される。
【００１３】
本体部位２０の形状としては、数字の２のように、フック形状と三角形状とが組み合わさった形状とすることが好ましい。そして、数字の２の三角形状部の端に、揺動部位３０が連結されていることが好ましい。本体部位２０と揺動部位３０とを合わせたフック１０の全体形状としては、Ｓの字、あるいは、逆Ｓの字形状であることが好ましい。
【００１４】
握持部位２２１が手のひらで握られることにより、本開示のフック１０は保持される。その状態で、フック形状を有する先端側部位２１が手摺りあるいはつり革などに引っかけられる。これにより、直接手で触ることなく、手摺りやつり革に対して使用者の体を固定することができる。
【００１５】
フック形状あるいは半円形状の先端側部位２１の内径あるいは懐の長さは３２から３８ｍｍとすることが好ましい。一般的な手摺りの太さは３２ｍｍから３５ｍｍであることから、手摺りにフック１０の先端側部位２１を引っかけるという用途に鑑み、上記の条件が見いだされている。本開示のフックの全体形状としてほぼ平面であって、フック形状を有する先端側部位２１が捻られており平面から逸脱している構成も有用である。フック形状を有する先端側部位２１を、例えばＬ字のドアノブに引っ掛ける場合の操作性が向上する。
【００１６】
掴持部位４０を形成する前記三つの部位３０，２２１、２２２が対向しない側、すなわち、外側の面が手によって掴まえられ、揺動部位３０が握持部位２２１に近づけるように揺動６０させられる。これにより、掴持部位４０の内側の空間７０にある物体を掴むことができる。例えば、空間７０にドアノブをもってきた場合、ドアノブには手を触れることなく、ドアノブを掴持部位４０にて掴み、操作することができる。
【００１７】
ドアノブの握り玉の直径は５０ｍｍ程度が標準的である。そこで、掴持部位４０の内側の空間７０には最大で直径６０ｍｍの円柱を掴まえられる寸法に掴持部位４０は設計されることが好ましい。更に、揺動部位３０が揺動６０させられることにより、直径４０ｍｍの円柱を掴まえられる寸法に掴持部位４０は設計されることが好ましい。
【００１８】
（変形例１）
図１（ａ）に示す本体部位２０と揺動部位３０とを形成する棒状体１１は導電性物質で形成されることが好ましい。更に、本体部位２０と揺動部位３０とにおいては、図１（ｂ）に示すように、棒状体１１が樹脂層１２で被覆されることが好ましい。樹脂層１２としては、例えば、樹脂製のチューブが採用でき、チューブが棒状体１１からなる本体部位２０および揺動部位３０とを覆う形にすることができる。先端側部位２１の先端２１１においては、図１（ａ）および（ｃ）に示すように当該樹脂層１２のない領域が形成されており、更に、先端２１１は球形状を有する。
【００１９】
先端２１１で例えばエレベータの行き先ボタンを押すとき、導電性物質で形成された棒状体１１の先端２１１において導電性物質が表出していることから、絶縁物で触っても反応しない静電容量方式の入力装置にも対応できる。車などから降りる時にも、この先端２１１で車を触ることにより体に溜まった静電気は樹脂製の被覆である樹脂層１２を通してゆっくり放電する。このため、静電気のショックに悩まされることがなくなる。先端２１１が球状であることから、触るものを傷つけるようなこともない。
【００２０】
揺動部位３０と本体部位２０とは、連結部５０で連結されているが、連結には、例えば、樹脂層１２を援用する。樹脂層１２として樹脂製のチューブを用いることができることを先に述べた。一つのチューブが揺動部位３０と本体部位２０との両方を内包し、棒状体１１である揺動部位３０を本体部位２０に連結させることが好ましい。これにより、揺動部位３０と本体部位２０との連結が単純な構成で可能となる。連結手段として蝶番を備えることも可能であることは言うまでもない。
【００２１】
（変形例２）
図１（ａ）に示すように、揺動部位３０と握持部位２２１とを直線状にし、且つ、これらの連結を樹脂製のチューブからなる樹脂層１２で行い、且つ、連結部５０と握持部位２２１との間に屈曲部２２４を設けることが好ましい。樹脂製のチューブで揺動部位３０と本体部位２０とを連結すると、力を加えない場合、連結部５０を挟んで、揺動部位３０と握持部位２２１とは一直線上に配置されてしまう。揺動部位３０と握持部位２２１とで掴持部位４０を形成するので、揺動部位３０と握持部位２２１とのなす角度は、力が加わらない状態であらかじめ６０度程度であることが好ましい。ここで、前記屈曲部２２４を設けることにより、上記角度を６０度程度にし、且つ、樹脂製のチューブで連結部５０を構成することが可能となる。
【００２２】
ここで、本開示のフック１０では、三角形状の掴持部位４０を帷子のように使うことも可能である。樹脂層１２で揺動部位３０が基端２２３と連結されているため、力を加えない場合、揺動部位３０は、握持部位２２１と上記の角度６０度を保つように樹脂層１２により強制される。結果、掴持部位４０の三角形状が保たれることになる。このため、揺動部位３０を内側に揺動させて、例えばバッグの持ち手を三角形状の掴持部位４０に引っ掛けた場合、揺動部位３０がもとの位置に戻り、バックの持ち手が掴持部位４０の内側から外に出るのを揺動部位３０が防止する。フック形状の先端側部位２１を机に引っ掛け、掴持部位４０にバッグの持ち手を引っ掛けるといった使い方が有用である。
【００２３】
ここまで、主にフック１０の構造について説明してきた。次に、材質について例を挙げて説明する。樹脂層１２には手が触れることになる。このため、樹脂層１２は抗菌層を有することが好ましい。例えば、酸化チタンを樹脂層１２に埋め込むことが挙げられる。
棒状体１１としては、導電性を有する物質を適用することが好ましい。棒状体１１としては、プラスチック、金属、カーボンファイバーなどの剛体を適用することが好ましい。金属としては、ステンレス、鋼、アルミ、アルミ合金、チタンなどを適用することが好ましい。樹脂層１２あるいはチューブの材質としては、ブタジエンゴム、シリコーンゴム、ポリ塩化ビニール（ＰＶＣ）を適用することが好ましい。以上、例を挙げたが、これらに限定されないことは言うまでもない。
【００２４】
本考案は、本考案の広義の精神と範囲を逸脱することなく、様々な実施の形態及び変形が可能とされるものである。また、上述した実施の形態は、この考案を説明するためのものであり、本考案の範囲を限定するものではない。すなわち、本考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【符号の説明】
【００２５】
１０  フック、  １１  棒状体、  １２  樹脂層、  ２０  本体部位、  ２１  先端側部位、  ２１１  先端、  ２２  基端側部位、  ２２１  握持部位、  ２２２  基端側部位のうち先端側に近接する部位、  ２２３  基端、  ２２４  屈曲部、  ３０  揺動部位、  ４０  掴持部位、  ５０  連結部、  ６０  揺動、  ７０  空間
【図１】
0003227313.tif 000003
【手続補正書】
【提出日】令和2年6月5日(2020.6.5)
【手続補正１】
【補正対象書類名】実用新案登録請求の範囲
【補正対象項目名】全文
【補正方法】変更
【補正の内容】
【実用新案登録請求の範囲】
【請求項１】
棒状体からなる本体部位と、棒状体からなる揺動部位と、前記本体部位と前記揺動部位とを連結する連結部と、を有し、
前記本体部位は先端側部位と基端側部位とを有し、
前記先端側部位はフック形状あるいは半円形状を有しており、
前記基端側部位に前記連結部が設けられており、連結部は前記揺動部位を揺動可能に連結し、
前記揺動部位に隣接して握持部位を有し、
前記揺動部位と前記握持部位と前記基端側部位で前記先端側部位近傍に位置する部位とで掴持部を形成する
ことを特徴とするフック。
【請求項２】
前記握持部位が直線状に形成されていることを特徴とする請求項１に記載のフック。
【請求項３】
前記本体部位と前記揺動部位とで平面をなすことを特徴とする請求項１または２に記載のフック。
【請求項４】
前記先端側部位の一部を除く前記本体部位と前記揺動部位とで平面をなし、前記一部が捻れて前記平面から逸脱していることを特徴とする請求項１または２に記載のフック。
【請求項５】
前記本体部位の形状が数字の２のように、フック形状と三角形状とが組み合わさった形状であり、前記数字の２の三角形状部の端にて、前記揺動部位が前記本体部位に連結されていることを特徴とする請求項１から４のいずれか１項に記載のフック。
【請求項６】
全体形状としては、逆Ｓの字形状であることを特徴とする請求項１から５のいずれか１項に記載のフック。
【請求項７】
前記本体部位または／且つ揺動部位を構成する前記棒状体が導電性を有し、先端を除き、樹脂層で全体が被覆されていることを特徴とする請求項１から６のいずれか１項に記載のフック。
【請求項８】
前記連結部は、前記揺動部位を揺動可能に連結する樹脂層又は蝶番を備えることを特徴とする請求項１から６のいずれか１項に記載のフック。
【請求項９】
前記連結部と前記握持部位との間の前記本体部位に屈曲部が形成されていることを特徴とする請求項１から８のいずれか１項に記載のフック。
【請求項１０】
前記樹脂層が抗菌層を有することを特徴とする請求項７または８に記載のフック。
【請求項１１】
前記フック形状あるいは前記半円形状の先端側部位の内径あるいは懐の長さが３２から３８ｍｍであることを特徴とする請求項１から１０のいずれか１項に記載のフック。
【請求項１２】
前記掴持部が掴むものとして円柱を想定した時に、円柱の直径が４０から５５ｍｍであることを特徴とする請求項１から１１のいずれか１項に記載のフック。
【手続補正２】
【補正対象書類名】明細書
【補正対象項目名】０００８
【補正方法】変更
【補正の内容】
【０００８】
上記目的を達成するため、本開示に係るフックは、棒状体からなる本体部位と、棒状体からなる揺動部位と、本体部位と揺動部位とを連結する連結部と、を有し、本体部位は先端側部位と基端側部位とを有し、先端側部位はフック形状あるいは半円形状を有しており、基端側部位に連結部が設けられており、連結部は揺動部位を揺動可能に連結し、揺動部位に隣接して握持部位を有し、揺動部位と握持部位と基端側部位で先端側部位近傍に位置する部位とで掴持部を形成する。